(57)【要約】【課題】本発明は、フィルタの再生を安全にかつ効率よく行なうことのできる車両の排気浄化装置を提供する。【解決手段】車両の排気浄化装置１は、フィルタ２と停車検出器３と再生開始ボタン４と強制再生制御装置５とを備える。フィルタ２は、エンジン６の排気通路７に設けられて排気Ｅに含まれるパティキュレートを捕集する。停車検出器３は、車両が停車状態であることを検出して停車信号を出力する。再生開始ボタン４は、フィルタ２を再生する制御の開始を指示する指令信号を出力する。強制再生制御装置５は、停車信号と指令信号とを検出することでエンジン６の回転数を上げるとともにエンジン６の運転状態を制御してフィルタ２を再生する。【選択図】    図１
2004183506.tif 000002
【特許請求の範囲】
【請求項１】
内燃機関の排気通路に配置されて排気に含まれるパティキュレートを捕集するフィルタと、
前記内燃機関を動力として移動する車両が停車状態であることを検出して停車信号を出力する停車検出手段と、
前記フィルタを再生する制御の開始を指示する指令信号を出力する強制再生指示手段と、
前記停車信号と前記指令信号とを検出することで前記内燃機関の回転数を上げるとともに前記内燃機関の運転状態を制御してフィルタを再生する強制再生制御手段とを備えることを特徴とする車両の排気浄化装置。
【請求項２】
前記フィルタより上流側の前記排気通路に配置される酸化触媒を備え、
前記強制再生制御手段は、前記停車信号と前記指令信号とを検出することで前記酸化触媒に供給される前記内燃機関の排気温度を上げて前記酸化触媒を活性化させる触媒昇温制御と、この触媒昇温制御の後で前記酸化触媒に未燃燃料を供給して燃焼させることで前記フィルタの温度を上げるフィルタ昇温制御とを実施することを特徴とする請求項１に記載の車両の排気浄化装置。
【請求項３】
前記酸化触媒よりも上流側の前記排気通路に配置されて前記触媒昇温制御時に前記強制再生制御手段によって作動される排気絞り弁を備えることを特徴とする請求項２に記載の車両の排気浄化装置。
【請求項４】
前記酸化触媒よりも前記内燃機関に近い前記排気通路に、前記酸化触媒よりも容積が小さいフロント酸化触媒を設けることを特徴とする請求項３に記載の車両の排気浄化装置。
【請求項５】
前記フィルタが強制再生を必要とする状態になったことを検出して再生要求信号を出力する再生時期検出手段と、
前記再生要求信号を検出して作動し、前記フィルタを再生する制御が終了することで前記強制再生制御手段によって停止される報知手段とを備えることを特徴とする請求項１に記載の車両の排気浄化装置。
【発明の詳細な説明】
【０００１】
【発明の属する技術分野】
本発明は、内燃機関の排気に含まれるパティキュレートを捕集するフィルタ及びこのフィルタの機能を回復させる再生手段を備える内燃機関の排気浄化装置に関する。
【０００２】
【従来の技術】
内燃機関の一例であるディーゼルエンジンは、排気通路に排気浄化装置を備えている。この排気浄化装置は、排気に含まれる黒煙、煤、ＨＣ、などといったパティキュレートを捕集するフィルタを備える。また、捕集されたパティキュレートを燃焼除去することでフィルタを再生するために、排気通路においてフィルタよりも上流の位置に酸化触媒を配置している排気浄化装置がある（例えば、特許文献１参照。）。この排気浄化装置によれば、酸化触媒が活性化温度以上になることで、排気中に含まれるＮＯを酸化させＮＯ２を生成する。ＮＯ２は、Ｏ２と比べて低い温度で、パティキュレートを酸化除去する。そして、フィルタの入口でパティキュレートの燃焼温度以上に排気の温度が維持されている場合、フィルタは、連続再生される。また、連続再生ではパティキュレートを十分に燃焼させることができず、フィルタにパティキュレートが堆積した場合は、強制再生を実施する。強制再生は、エンジンの排気行程中に燃料噴射ノズルから燃料を噴射することで、酸化触媒に未燃燃料を供給する。そして、未燃燃料を酸化触媒で燃焼させることで、十分高い温度の排気をフィルタに流し、パティキュレートがＯ２で燃焼する温度までフィルタを昇温させる。これにより、堆積したパティキュレートが燃焼除去され、すなわち、フィルタは、確実に再生される。
【０００３】
【特許文献１】
特許第３０１２２４９号明細書
【０００４】
【発明が解決しようとする課題】
しかしながら、例えば、市街地内において移動と停車を繰返す車両に搭載されたディーゼルエンジンの場合、エンジンの回転数が低く排気流量が少ないので、排気温度が酸化触媒の活性化温度以上に上がらない場合がある。このような場合、酸化触媒においてＮＯ２が生成されないので、連続再生が行なわれない。また、酸化触媒の温度が低く未燃燃料をうまく燃焼させることができないため、強制再生を実施することも困難である。
【０００５】
エンジン回転数を上げることで、積極的に排気温度を上げることができるが、走行速度を変化させないとすると、エンジン回転数を上げる代わりに変速段を変更して変速比を大きくする必要がある。しかしながら、変速比を大きくすると、伝達されるトルクも大きくなるため、車両の加速や減速及び制動性能などに影響し、運転操作性を低下させてしまう。
【０００６】
そこで、本発明は、フィルタの再生を安全にかつ効率よく行なうことのできる車両の排気浄化装置を提供することを目的とする。
【０００７】
【課題を解決するための手段】
本発明にかかる排気浄化装置は、内燃機関を動力として移動する車両に取付けられ、フィルタと停車検出手段と強制再生指示手段と強制再生制御手段とを備える。そして、車両が停車していることを確認してフィルタの強制再生を実施する。フィルタは、内燃機関の排気通路に設けられて排気に含まれるパティキュレートを捕集する。停車検出手段は、車両が停車状態であることを検出して停車信号を出力する。強制再生指示手段は、フィルタを再生する制御の開始を指示する指令信号を出力する。強制再生制御手段は、停車信号と指令信号とを検出することで内燃機関の回転数を上げるとともに内燃機関の運転状態を制御してフィルタを再生する。
【０００８】
また、フィルタより上流側の排気通路に酸化触媒を配置し、強制再生制御手段によって、停車信号と指令信号とを検出することで酸化触媒に供給される内燃機関の排気温度を上げて酸化触媒を活性化させる触媒昇温制御と、この触媒昇温制御の後で酸化触媒に未燃燃料を供給して燃焼させることでフィルタの温度を上げるフィルタ昇温制御とを実施する。
【０００９】
そして、酸化触媒よりも上流側の排気通路に配置されて触媒昇温制御時に強制再生制御手段によって作動される排気絞り弁を備え、短時間で酸化触媒を活性化させる。更に、強制再生の開始から短時間で酸化触媒を活性化させるために、酸化触媒よりも内燃機関に近い排気通路に、酸化触媒よりも容積が小さいフロント酸化触媒を設ける。
【００１０】
また、強制再生の時期を的確に知り、効率よく強制再生を実施するために、フィルタが強制再生を必要とする状態になったことを検出して再生要求信号を出力する再生時期検出手段と、再生要求信号を検出して作動するとともにフィルタを再生する制御が終了することで強制再生制御手段によって停止される報知手段とを備える。
【００１１】
【発明の実施の形態】
本発明に係る第１の実施形態の排気浄化装置について、図１及び図２を参照して説明する。図１に示す排気浄化装置１は、フィルタ２と停車検出器３と再生開始ボタン４と強制再生制御装置５とを備えている。フィルタ２は、内燃機関の一例であるディーゼルエンジン６の排気Ｅを通す排気通路７に設けられている。フィルタ３は、エンジン６から排出される排気Ｅに含まれた煤、黒煙、ＨＣなどといったパティキュレートを捕集する。フィルタ２の上流側の排気通路７には、酸化触媒８が配置されている。酸化触媒８は、排気Ｅに含まれるＮＯを酸化してＮＯ２を生成する。
【００１２】
エンジン６とフィルタ２との間の排気通路７には、圧力センサ９が設けられている。圧力センサ９は、フィルタ２にパティキュレートが堆積して強制再生を必要とする状態であることを検出して再生要求信号を出力する再生時期検出手段の一例である。フィルタ２にパティキュレートが堆積することで、フィルタ２が目詰まりし、エンジン６からフィルタ２までの間の排気通路７の圧力Ｐが高くなる。圧力センサ９は、パティキュレートを捕集する能力が低下したと判断される状態の圧力Ｐ１に達したことを検出し、再生要求信号を出力する。
【００１３】
なお、再生時期検出手段は、圧力センサ９のほか、タイマや温度検出器などを設けてエンジンの運転時間や排気の温度条件などからパティキュレートの堆積量を予測し再生要求信号を出力しても良い。また、エンジン回転数計、エンジン負荷センサ、吸気排気量系、ＮＯｘセンサ、Ｏ２センサなどを単独、または圧力センサやタイマとともにこれらの内のいくつかを併用してパティキュレートの堆積量を予測し再生要求信号を出力しても良い。
【００１４】
停車検出器３は、エンジン６を動力として移動する車両が停車状態であることを検出して停車信号を出力する停車検出手段の一例である。停車検出器３は、車両の車軸１０に取付けられ、この車軸１０の回転を検出する。なお、停車検出器３は、車輪に取付けられた速度検出器の信号を流用しても良いし、車軸１０に繋がる駆動軸の回転を検出するように設けられていても良い。また、変速機やその操作レバー、あるいはパーキングブレーキに別途検出器を設け、ギヤがニュートラル、或いはオートマチック車ではパーキングの状態になっていることや、パーキングブレーキが掛けられたことを検出し、停車信号として出力すると、車両が停車したことをより確かに検出できるので安全である。
【００１５】
再生開始ボタン４は、フィルタ２を再生する制御の開始を支持する指令信号を出力する強制再生指示手段の一例である。再生開始ボタン４は、運転者が安全に操作できる範囲、例えばダッシュボードに取付けられている。
【００１６】
強制再生制御装置５は、停車信号と指令信号を検出することでエンジン６の回転数を上げるとともに、エンジン６の運転状態を制御してフィルタ２を再生する強制再生制御手段の一例である。強制再生制御装置６には、警告灯１１が接続されている。警告灯１１は、再生要求信号を検出して作動し、フィルタ２を再生する制御が終了することで強制再生制御手段によって停止される報知手段の一例である。報知手段として、警告灯１１以外に、スピーカや表示板などを設け、音や録音された音声などとともに文字や操作手順などを表示して報知しても良い。警告灯１１は、運転者の目に付きやすい位置、例えばダッシュボードの速度計の近くに配置すると、運転者に確認されやすい。
【００１７】
また、酸化触媒８とフィルタ６の間の排気通路７、及びフィルタ２の下流側の排気通路７には、それぞれ温度センサ１２，１３が設けられている。各温度センサ１２，１３は、強制再生制御装置５に温度情報を出力する。
【００１８】
次に、排気浄化装置１の動作について説明する。圧力センサ９は、エンジン６が運転される（Ｓ１）と、排気Ｅの圧力Ｐを検出する（Ｓ２）。排気Ｅの圧力Ｐはパティキュレートを捕集するにつれて上昇する。パティキュレートを捕集する能力が低下してきたと判断される状態として予め設定された圧力Ｐ１を排気Ｅの圧力Ｐが超えると、圧力センサ９は、再生要求信号を出力する。
【００１９】
再生要求信号が検出されると、警告灯１１は、点灯する（Ｓ３）。これにより、運転者は、フィルタ２にパティキュレートが堆積し、フィルタ２の再生が必要であることを知ることができる。運転者が安全な場所に車両を停車させると、停車検出器３は、停車信号を出力する。さらに、運転者がギヤをニュートラル（オートマチック車ではパーキングでも良い）状態にすることを別途検出し、停車信号として出力してもよい。出力された各停車信号は、強制再生制御装置５によって検出される（Ｓ４、Ｓ５）。そして、運転者が再生開始ボタン４を押すと、指令信号が出力される。この指令信号は、強制再生制御装置５によって検出される（Ｓ６）。なお、再生開始ボタン４は、点灯式のものとし、停車信号を検出して点灯し、操作が行なえるように設けると、車両が確かに停車していることを運転者が視覚的に確認することができ、操作性や安全性も向上する。
【００２０】
強制再生制御装置５は、停車信号と指令信号とを検出すると、強制再生制御を開始し（Ｓ７）、エンジン６を制御してエンジン回転数を上昇させる（Ｓ８）。所定のエンジン回転数に達すると、強制再生制御装置５は、その回転数を維持させた状態で、排気Ｅの温度を上昇させる排気昇温制御を開始する（Ｓ９）。排気Ｅの温度は、例えば、膨張行程において燃料噴射ノズルから燃料を追加噴射して燃焼させることで、上げることができる。昇温された排気Ｅは、酸化触媒８に供給される。強制再生制御装置５は、酸化触媒８の下流側に設けられた温度センサ１２によって、酸化触媒８の温度Ｋ１を検出する（Ｓ１０）。酸化触媒８が活性化する活性温度Ｋ２以上にこの酸化触媒８の温度Ｋ１が上昇したことが確認されると、強制再生制御装置５は、排気昇温制御を終了し（Ｓ１１）、未燃燃料を酸化触媒８に供給する未燃燃料添加制御を開始する（Ｓ１２）。未燃燃料は、例えば、排気行程で燃料噴射ノズルから燃料を噴射させることによって供給される。酸化触媒８を予め活性化しておくことで、排気Ｅに含まれる未燃燃料を酸化触媒８上で反応させ、触媒反応の熱で排気Ｅを加熱する。加熱された排気Ｅは、フィルタ２に供給される。強制再生制御装置５は、フィルタ２の下流に設けられた温度センサ１３によって、フィルタ２の温度Ｋ３を検出する（Ｓ１３）。フィルタ２の温度Ｋ３がパティキュレートの燃焼温度Ｋ４以上になっていることを確認すると、強制再生制御装置５は、内蔵するタイマによって、時間ｔを計測する（Ｓ１４）。強制再生制御装置５は、パティキュレートが堆積して飽和状態になったフィルタ２からパティキュレートを除去しきるために予め設定された再生時間ｔｆの間、未燃燃料の添加を継続する。強制再生制御装置５は、フィルタ２が燃焼温度Ｋ４以上に保たれた状態で、再生時間ｔｆ以上経過したことを確認すると、未燃燃料の添加を終了する（Ｓ１５）。そして、エンジン回転数をアイドリング状態に低下させ（Ｓ１６）、警告灯１１を消灯（Ｓ１７）する。これによって、一連の強制再生制御を終了させ（Ｓ１８）、車両は、再び運転できるようになる（Ｓ１）。本実施形態において、Ｓ９からＳ１１は、排気Ｅの温度を上昇させて酸化触媒８を活性化させる触媒昇温制御に相当し、Ｓ１２からＳ１３は、酸化触媒８に未燃燃料を供給して燃焼させることでフィルタ２の温度Ｋ３を上げるフィルタ昇温制御に相当する。
【００２１】
なお、パティキュレートが除去されてフィルタ２が再生されたことを確認するために、圧力センサ９の圧力Ｐが、パティキュレートがフィルタ２から除去された状態に相当する再生後圧力以下になったことを検出し、強制再生制御を終了するように強制再生制御装置５を設けても良い。
【００２２】
以上のように、排気浄化装置１は、車両を停車させた状態で、フィルタ２の再生を実施する。したがって、排気浄化装置１は、市街地などにおいて、低速走行や停車などを繰り返し、排気Ｅの温度が低く、連続再生を期待できない状態の車両に対して適切に強制再生を実行することができる。
【００２３】
また、排気浄化装置１は、走行中にエンジン回転数を変動させたりギヤを変速したりせず、車両を停車させて強制再生を行なうように設けられている。そして、排気浄化装置１は、強制再生制御装置５が停車信号と指令信号を確認して強制再生を実施するので、運転者の誤操作によって、車両の走行中に強制再生が開始されない。さらに、停車中であっても、再生開始ボタン４からの指令信号を検出しないと、強制再生が開始されないので、運転者の意に反して強制再生が実施されることがない。したがって、排気浄化装置１は、安全性に優れている。
【００２４】
また、走行中にエンジン６の運転状態を制御してフィルタ２を強制再生するのではなく、フィルタ２の強制再生を目的として車両を停車させてエンジン６の状態を制御するので、走行中に実施するよりも短時間でしかも効率よくフィルタ２を再生することができる。
【００２５】
本発明に係る第２の実施形態の排気浄化装置２１について、図３から図５を参照して説明する。なお、第１の実施形態の排気浄化装置１と同じ構成については、同一の符号を付してその説明を省略する。
【００２６】
図３に示す排気浄化装置２１は、酸化触媒８とエンジン６との間の排気通路７にフロント酸化触媒２２と排気絞り弁２３とを備えている。フロント酸化触媒２２は、酸化触媒８よりもエンジン６に近い排気通路７に配置されている。また、フロント酸化触媒２２は、酸化触媒８よりも容積が小さいため、排気Ｅによって酸化触媒８よりも短時間で温められる。フロント酸化触媒２２は、排気Ｅが通過する断面の密度が酸化触媒８よりも粗い。
【００２７】
排気絞り弁２３は、フロント酸化触媒２２よりも下流で酸化触媒８よりも上流、すなわちフロント酸化触媒２２と酸化触媒８の間の排気通路７に配置されている。排気絞り弁２３は、強制再生制御装置５に制御されて作動し、排気通路７を狭めることによって、エンジン６から排気絞り弁２３までの間の排気通路７内の圧力を上昇させる。なお、車両が排気ブレーキ装置を備えている場合は、排気ブレーキ装置を排気絞り弁２３として使用することもできる。
【００２８】
圧力センサ９は、排気絞り弁２３よりも上流に配置されており、再生要求信号を出力する。また、圧力センサ９は、排気絞り弁２３によって排気通路７が所定の大きさまで狭められた場合に検出されるべき圧力からの差圧を検出し、差圧信号を強制再生制御装置５に出力しても良い。強制再生制御装置５は、差圧信号を用いることで排気絞り弁２３の開度を適切に調整することができる。
【００２９】
また、フロント酸化触媒２２と排気絞り弁２３との間、本実施形態では圧力センサ９と同じ位置、の排気通路７に、暖機温度センサ２４が設けられている。暖機温度センサ２４は、強制再生制御装置５に温度情報を出力する。排気絞り弁２３と酸化触媒８との間には、酸化触媒８に未燃燃料を供給する添加ノズル２５が設けられている。
【００３０】
以上の構成要素をさらに備えた排気浄化装置２１において、第１の実施形態と異なる動作を含むＳ８からＳ１６の動作について説明する。図４に示すように、強制再生制御装置５は、エンジン回転数を上昇させる（Ｓ８）と、排気昇温制御を開始する（Ｓ９）前に、排気絞り弁２３を作動させ（Ｓ２１）、図５に示すように排気通路７を狭める。なお、Ｓ８，Ｓ９，Ｓ２１は、ほぼ同時に行なわれるのであれば、順番が入れ替わっても良い。排気通路７が狭められて排気絞り弁２３よりも上流側の内圧が高まるとともに、フロント酸化触媒２２は、エンジン６に近い位置に設けられているので、排気昇温制御が始まると、短時間で活性化される。
【００３１】
強制再生制御装置５は、暖機温度センサ２４からの温度情報をもとにフロント酸化触媒２２の温度Ｋ５がフロント触媒活性温度Ｋ６以上になったことを検出する（Ｓ２２）と、図３に示すように排気絞り弁２３を開放し（Ｓ２３）、排気通路７を狭める前の状態に戻す。排気絞り弁２３が開放されると、フロント酸化触媒２２の触媒反応で昇温された排気Ｅが酸化触媒８に供給される。酸化触媒８が排気Ｅによって温められて酸化触媒８の温度Ｋ１が活性温度Ｋ２以上になったことを検出すると、強制再生制御装置５は、排気昇温制御を終了する（Ｓ１１）。
【００３２】
次に、強制再生制御装置５は、添加ノズル２５から燃料を噴射することで、未燃燃料を酸化触媒８に添加する（Ｓ２４）。なお、排気行程においてエンジン６の燃料噴射ノズルから噴射される未燃燃料が、フロント酸化触媒２２で燃焼されずに酸化触媒８まで到達する程度に、フロント酸化触媒２２の密度が粗い場合は、未燃燃料を燃料噴射ノズルから供給しても良い。添加された未燃燃料は、酸化触媒８で燃焼し、排気Ｅの温度を上げる。昇温された排気Ｅは、フィルタ２に供給され、フィルタ２を加熱する。フィルタ２の温度Ｋ３がパティキュレートの燃焼温度Ｋ４以上になると、パティキュレートは、酸化燃焼され、フィルタ２から除去される。強制再生制御装置５は、フィルタ２の温度Ｋ３が、パティキュレートの燃焼温度Ｋ４以上であることを確認（Ｓ１３）し、さらに、その状態で再生時間ｔｆ経過したことを確認（Ｓ１４）する。
【００３３】
再生時間ｔｆ経過すると、強制再生制御装置５は、添加ノズル２５からの未燃燃料の供給を終了し（Ｓ２５）、高回転化されていたエンジン６の回転数をアイドリング状態に低下させる（Ｓ１６）。これ以降の動作は、第１の実施形態と同じである。本実施形態において、Ｓ９からＳ１１は、排気Ｅの温度を上昇させて酸化触媒８を活性化させる触媒昇温制御に相当し、Ｓ２１からＳ２３は、フロント酸化触媒２２を温める暖機運転に相当する。また、Ｓ１２からＳ１３は、酸化触媒８に未燃燃料を供給して燃焼させることでフィルタ２の温度Ｋ３を上げるフィルタ昇温制御に相当する。
【００３４】
以上のように、第２の実施形態の排気浄化装置２１は、フロント酸化触媒２２と、排気絞り弁２３を備えることで、第１の実施形態の排気浄化装置１による効果に加え、更に、酸化触媒８を活性化させる時間が短縮できるという効果が得られる。
【００３５】
【発明の効果】
本発明の排気浄化装置によれば、停車検出手段と強制再生指示手段と強制再生制御手段とを備え、停車検出手段で車両が停車していることを検出して出力された停車信号と、強制再生指示手段から出力された強制再生の開始を指示する指令信号とを強制再生制御手段で検出し、エンジン回転数を上昇させるとともに排気温度を上昇させる。これによって、酸化触媒を活性化させ、酸化触媒の酸化還元反応の熱でさらに排気を暖め、フィルタに堆積したパティキュレートを燃焼除去する。車両が停車している状態で、フィルタの再生が行なわれるので、排気浄化装置は、市街地などにおいて、低速走行や停車などを繰り返し、排気の温度が低く、連続再生を期待できない状態の車両にも適用することができる。また、停車信号を検出して強制再生を実施するので、運転者の誤操作によって、車両の走行中に強制再生が開始されない。さらに、停車中であっても、強制再生指示手段からの指令信号を検出しないと、強制再生が開始されないので、運転者の意に反して強制再生が実施されることがない。したがって、排気浄化装置は、安全性に優れている。また、排気浄化装置は、停車した状態で強制再生を実施するので、排気温度、回転数、排気流量などフィルタの再生に利用される内燃機関の条件を制御しやすく、安定した条件でフィルタの再生を行なうことができるので、効率よくかつ短時間でフィルタを再生することができる。
【００３６】
また、請求項２の発明によれば、酸化触媒を活性化させてからフィルタを昇温させるので、未燃燃料を確実に酸化触媒で反応させることができ、未燃成分の大気放出を抑制しながらより効率良くフィルタを再生できる。
【００３７】
また、酸化触媒より上流側の排気通路に排気絞り弁を備えた請求項３の発明によれば、排気絞り弁において排気流路を狭め、内燃機関から排気絞り弁までの間の排気通路内の圧力を高くする。これにより、内燃機関から排出される排気の温度を高い状態で維持しやすい。したがって、酸化触媒を早く活性温度に温めることができる。
【００３８】
また、酸化触媒よりも内燃機関に近い側の排気通路に、酸化触媒よりも容積の小さいフロント酸化触媒を設けた請求項４の発明によれば、フロント酸化触媒が酸化触媒に比べて短時間で活性温度に達し、この触媒反応熱で排気をさらに温めることで、効率よくかつ早く酸化触媒を温めることができる。
【００３９】
また、請求項５の発明によれば、強制再生指示手段を操作すべき時期を報知手段により適切に指示する事ができる。また、再生処理が終了するまで報知手段が作動するので、強制再生指示手段の操作を効果的に促すことができるし、車両走行に支障があることを的確に知らせることができ、報知手段の停止により再生処理の終了を的確に知ることもできる。
【図面の簡単な説明】
【図１】本発明に係る第１の実施形態の排気浄化装置を示す図。
【図２】図１の排気浄化装置の動作を示すフローチャート。
【図３】本発明に係る第２の実施形態の排気浄化装置を示す図。
【図４】図３の排気浄化装置の動作の一部を示すフローチャート。
【図５】図３の排気浄化装置の排気絞り弁を絞ってフロント触媒を温める状態を示す図。
【符号の説明】
１，２１…排気浄化装置
２…フィルタ
３…停車検出器（停車検出手段）
４…再生開始ボタン（強制再生指示手段）
５…強制再生制御装置（強制再生制御手段）
６…エンジン（内燃機関）
７…排気通路
８…酸化触媒
９…圧力センサ（再生時期検出手段）
１１…警告灯（報知手段）
２２…フロント酸化触媒
２３…排気絞り弁
Ｅ…排気
【図１】
2004183506.tif 000003
【図２】
2004183506.tif 000004
【図３】
2004183506.tif 000005
【図４】
2004183506.tif 000006
【図５】
2004183506.tif 000007